(57)【要約】【課題】本発明は、従来より部品点数を減少させながらクランパの移動距離を十分確保でき、ディスク装置の薄型化をさらに図ることができるディスク装置のクランプ機構を提供することを目的とするものである。【解決手段】ターンテーブル４に鋼板からなるキャップ４１が装着されており、クランパ５にはターンテーブル側である底面部が着磁された磁石７が嵌め込まれている。クランパ５は、鋼板からなる支持部材６の開口部６０に遊嵌されており、磁石７の着磁された底面部が支持部材６に吸引されて浮き上がったような状態で支持部材６に保持されている。ターンテーブル４が上昇すると、キャップ４１が磁石７に接近することで互いに吸着し、クランパ５がターンテーブル４にセットされるようになる。【選択図】        図２
2005018951.tif 000002
【特許請求の範囲】
【請求項１】
ディスクを保持するとともに第一磁性体を備えたターンテーブルと、前記ターンテーブル側のみ着磁した磁石が装着されて前記第一磁性体に対する該磁石の着磁部分の吸引力により前記ターンテーブルに着脱自在に密着してターンテーブルとの間にディスクを挟持するクランパと、前記クランパが前記ターンテーブルに接近して密着する装着位置と前記ターンテーブルから離間した退避位置との間を移動自在となるように支持する支持部材とを備え、
前記支持部材は第二磁性体を備えており、該第二磁性体に対する前記磁石の着磁部分の吸引力により前記クランパは前記退避位置に保持されることを特徴とするディスク装置のクランプ機構。
【請求項２】
前記支持部材の前記第二磁性体は、前記クランパの前記磁石の移動領域を横切る面に沿って設けられていることを特徴とする請求項１に記載のディスク装置のクランプ機構。
【請求項３】
前記支持部材は、板状の前記第二磁性体に前記クランパを遊嵌する開口部を形成してなり、該開口部の周縁部と前記磁石の着磁部分とが接近した状態で前記クランパは前記退避位置に保持されることを特徴とする請求項２に記載のディスク装置のクランプ機構。
【発明の詳細な説明】
【０００１】
【発明の属する技術分野】
本発明は、ＣＤ、ＤＶＤ等のディスクをセットするディスク装置のクランプ機構に関する。
【０００２】
【従来の技術】
ディスク装置にＣＤ等のディスクをセットする場合は、ディスクをパレットに載置して装置内に搬入して、ターンテーブルに保持し、ターンテーブル及びクランパでディスクを挟持してセット動作が行われる。こうしたディスクのクランプ機構は、ディスク装置の薄型化に対応して様々な改良がなされてきている。
【０００３】
例えば、特許文献１には、ターンテーブルの上方に磁石を内蔵したクランパが配置されており、ターンテーブルが休止位置にあるときクランパは上方に配置された第一磁性体に吸引されて高い位置に保持され、ターンテーブルが再生レベル位置にあるときクランパはターンテーブル内の第二磁性体に吸引されて引き下ろされてディスクをクランプする点が記載されている。また、特許文献２には、ターンテーブルに第１の永久磁石部材を組み込み、ディスク装置の天板に第２の永久磁石部材を設け、第１の永久磁石部材の磁力を第２の永久磁石部材より強くしておき、クランパに組み込んだ強磁性の吸着板を第２の永久磁石部材で吸着して保持し、ターンテーブルをディスク支持位置まで移動したときに第１永久磁石部材によりクランパを吸引してターンテーブル上にクランプするようにした点が記載されている。また、特許文献３には、クランパに磁性部を設け、クランパの上方のシャーシとターンテーブルにそれぞれ磁石を配置し、ターンテーブルが上昇してクランパに近づくとターンテーブルの磁石が磁性部を吸着してディスクをチャッキングする点が記載されている。
【０００４】
【特許文献１】
特開平７−２４４９０８号公報
【特許文献２】
特開平１０−４０６２０号公報
【特許文献３】
特開平１０−２４１２４８号公報
【０００５】
【発明が解決しようとする課題】
上述した特許文献では、いずれもクランパに磁石又は磁性体を組み込み、ターンテーブルにも磁石又は磁性体を組み込み、両者の吸引力によりクランパとターンテーブルとを密着させてその間にディスクを保持するようにしている。そして、ターンテーブルがクランパから離れていくと、クランパの上方に配置された磁石又は磁性体に吸引されてクランパが上方に移動するようにされている。こうした構成により、クランパの移動を磁力により行うようにしているので、構成が単純化されるとともにディスク装置をよりコンパクト化することができる。
【０００６】
しかしながら、上述した従来のクランプ機構は、クランパの上方に磁石又は磁性体を配置する必要があり、また、クランパを上方に引き上げるための移動空間を確保しておく必要がある。したがって、磁石又は磁性体の配置スペース及び引き上げるための移動スペースの分だけディスク装置の高さが必要となり、これ以上の薄型化が困難となる。クランパの移動空間を狭くすることも考えられるが、その分クランパの移動距離が小さくなって搬入されるディスクと接触する危険性が増す。また、クランパがターンテーブルから分離して上方の磁石又は磁性体に吸着する際に衝突音が発生すようになる。そのため緩衝材が必要となり、部品点数が増加する。
【０００７】
そこで、本発明は、従来より部品点数を減少させながらクランパの移動距離を十分確保でき、ディスク装置の薄型化をさらに図ることができるディスク装置のクランプ機構を提供することを目的とするものである。
【０００８】
【課題を解決するための手段】
本発明に係るディスク装置のクランプ機構は、ディスクを保持するとともに第一磁性体を備えたターンテーブルと、前記ターンテーブル側のみ着磁した磁石が装着されて前記第一磁性体に対する該磁石の着磁部分の吸引力により前記ターンテーブルに着脱自在に密着してターンテーブルとの間にディスクを挟持するクランパと、前記クランパが前記ターンテーブルに接近して密着する装着位置と前記ターンテーブルから離間した退避位置との間を移動自在となるように支持する支持部材とを備え、前記支持部材は第二磁性体を備えており、該第二磁性体に対する前記磁石の着磁部分の吸引力により前記クランパは前記退避位置に保持されることを特徴とする。さらに、前記支持部材の前記第二磁性体は、前記クランパの前記磁石の移動領域を横切る面に沿って設けられていることを特徴とする。さらに、前記支持部材は、板状の前記第二磁性体に前記クランパを遊嵌する開口部を形成してなり、該開口部の周縁部と前記磁石の着磁部分とが接近した状態で前記クランパは前記退避位置に保持されることを特徴とする。
【０００９】
上記のような構成を有することで、クランパに装着された磁石がターンテーブル側のみ着磁されているので、退避位置にクランパが保持される際にクランパのターンテーブル側が磁石の吸引力で保持されて、従来技術のようにクランパがターンテーブルの反対側に吸引されてシャーシ等に衝突することを避けることができる。そして、ターンテーブルの反対側にクランパを吸引するための磁性体や磁石を設置する必要がなくなり、設計の自由度が大きくなる。設置スペースをクランパの移動スペースとして用い、クランパのストロークを長く取ることで、ディスク搬入時にクランパを邪魔にならないように退避させておくことができる。また、その分薄型化することも可能となる。さらに、磁石等が不要となるため、構造が簡略化でき、部品点数を減らすこともできる。そのため、製造コストを軽減することが可能となる。
【００１０】
また、支持部材の第二磁性体を前記クランパの前記磁石の移動領域を横切る面に沿って設けることで、第二磁性体にターンテーブル側のみ着磁した磁石が吸引するとクランパは移動方向に対して側面で支持部材に保持されるようになり、クランパが支持部材に衝突することなく保持される。そして、支持部材自体を板状の第二磁性体で構成してクランパの開口部を形成すれば、開口部の周縁部でクランパを保持することができ、非常に簡単な構造で確実にクランパを退避位置に保持しておくことができる。
【００１１】
【発明の実施の形態】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、ディスク装置の外観を示した斜視図である。ディスク装置１の前面部に設けられた挿入開口部３にディスク２を挿入すると、図示しないセンサがディスク２の挿入を検知して搬送機構がディスク２を装置内部のセット位置に搬入する。これ以外にも装置内部から引き出されたトレイにディスクを載置した後トレイとともに装置内部に搬入することもできる。ディスクとしては、ＣＤ、ＤＶＤのように円板状の記録媒体で中心にターンテーブルを挿入するための円形の孔が穿設されているものが挙げられる。
【００１３】
以上のように装置内部に搬入されたディスク２は、その中心孔２０がターンテーブルの上方に位置するようにセットされる。図２は、中心孔２０がターンテーブル４の上方にセットされた状態の一部拡大断面図である。この状態では、ディスク２が搬入されるため、ターンテーブル４は、下方の待機位置に移動している。また、図３は、図２と同様の一部拡大断面図で、ターンテーブル４が上昇して作動位置に移動し、上方のクランパ５とともにディスク２を挟持した状態を示している。
【００１４】
ターンテーブル４は、円板状のテーブル本体４０と、テーブル本体４０の上面に突設された円形のキャップ４１とからなり、図示しないモータ軸に固定されている。テーブル本体４０及びキャップ４１は、いずれも鋼板等の金属材料から構成されている。テーブル本体４０の上面には、キャップ４１を囲むようにリング状のゴムシート４２が貼着されており、装着されたディスク２の滑りを防止すると共に緩衝材としての機能を有する。
【００１５】
ターンテーブル４の上方には、ディスク２の搬入に必要な間隔を空けてクランパ５が配置されている。クランパ５は、支持部材６に穿設された開口部６０に遊嵌されている。図４に示すように、支持部材６は鋼板等の金属板を加工して成形され所定幅を有する帯状に形成されており、両側を図示しない本体フレームに固定されている。そして、支持部材６の中央部分には、円形の開口部６０が穿設されており、開口部６０の周囲は、同心円状に段差部６１が下方に一段低く形成されている。クランパ５は、図２に示すように、樹脂製のクランパ本体５０にリング状の磁石７が嵌め込まれて構成されている。クランパ本体５０は、円板の周縁に所定高さの帯状部が立設されたストッパ５１と、中心部に立設された円筒状のガイド５２からなる。ストッパ５１は、図２に示すように、クランパ５が上昇した場合に支持部材６の段差部６１を囲むように当接してクランパ５を退避位置に保持されるようにしている。そして、ストッパ５１の底面には、図３に示すように、ディスク２を挟持する際にディスク２の表面に圧接する圧接面５３が形成されており、圧接面５３の内側にはターンテーブル４のキャップ４１が嵌合する凹部５４が形成されている。円筒状のガイド５２内には、同心円状に円筒突起５５が設けられており、リング状の磁石７は、ガイド５２と円筒突起５５との間に嵌め込まれて固定される。ガイド５２の上端部には、３つの爪部５６が突出している。爪部５６は、外方に突出し下向きに傾斜する外爪部分５７とガイド５２の内側に突出し下向きに傾斜する内爪部分５８が形成されている。
【００１６】
クランパ５を支持部材６の開口部６０に取り付ける場合は、図５に示すような手順で行う。磁石７は支持部材６の上方から、クランパ本体５０は支持部材６の下方からそれぞれ取り付ける（図５（ａ））。まず、クランパ本体５０を開口部６０に差し込む（図５（ｂ））。この際、ガイド５２の上端部に突出する爪部５６が開口部６０に当たるようになるが、そのまま差し込んでいくと、爪部５６の外爪部分５７が内方に撓み、爪部５６が開口部６０を通過する。開口部６０を通過した爪部５６は、逆方向にクランパ本体５０を引き抜こうとすると、外爪部分５７が開口部６０に引っ掛かり抜けないようになる。ガイド５２が開口部６０内を通過した後上方から磁石７をガイド５２内に嵌め込む（図５（ｃ））。磁石７をガイド５２内に押し込むと、爪部５６の内爪部分５８が当たるようにあるが、押し込み続けると、内爪部分５８が外方に撓み、磁石７の上面が内爪部分５８に引っ掛かるようになる（図５（ｄ））。こうして、磁石７がしっかりとガイド５２内に固定される。
【００１７】
図６には、磁石７の底面図（図６（ａ））及び正面図（図６（ｂ））が示されている。磁石７は、底面部７１のみが２極着磁されている。材料としては、このように底面部のみ着磁することができる強磁性材料であればよく、例えばネオジウム磁石のように強力な吸着力を有するものであれば、磁石自体を小型化でき、より好適である。このように底面部７１が着磁された磁石７を容器７２に嵌め込み、その周囲に図６（ｃ）に示すように板状の磁性体７３を配置すると、着磁した部分の吸引力により磁石７の底部が磁性体７３に最も接近した位置で保持される。この際、磁石の磁力及び重量を適宜調整すれば、この位置において安定した状態を保つようにすることができる。したがって、磁石７が磁性体７３に対してあたかも浮き上がったような状態で保持されるようになる。
【００１８】
本発明は、底面部７１が着磁された磁石７のこのような性質を利用してクランパ５の移動・保持動作を行うものである。その具体例を図７に示す。まず、図７（ａ）に示すように、装置外部よりディスク２が搬送機構８によりターンテーブル４とクランパ５との間に搬入される。この場合、ターンテーブル４は、予め下方の待機位置に移動している。また、図６で説明したように、クランパ５内に固定された磁石７はターンテーブル側である底面部が着磁されており、支持部材６が磁性体である鋼板からなっていることから、磁石７の底面部に支持部材６と吸引する力が働き、クランパ５全体が浮き上がったような状態で上方の退避位置に移動している。退避位置では、ストッパ５１が段差部６１を囲むように当接し、また開口部６０にガイド５２が遊嵌しているため、衝撃が加わっても退避位置から外れてしまうようなことはない。
【００１９】
次に、図７（ｂ）に示すように、ターンテーブル４が上昇して、キャップ４１がディスク２の中心孔２０に挿入される。キャップ４１は磁性体である鋼板からなっているため、キャップ４１が上昇してクランパ５の底面に接近するに従い、磁石７の着磁された底面部と互いに吸引し合うようになる。磁石７の底面部とキャップ４１との吸引力は、キャップ４１が接近するに従いキャップ４１内を通る磁石７の磁力線が増加して、支持部材６の開口部６０の周縁との吸引力よりも大きくなり、図７（ｃ）に示すように、クランパ５は下方に吸引されて底面に形成された凹部５４がキャップ４１に嵌合するようになる。この状態では、磁石７の着磁された底面部がキャップ４１に吸着して、テーブル本体４０とクランパ５の圧接面５３とでディスク２がしっかり挟持されるようになる。そして、搬送機構８がディスク２から離間してディスク２が回転駆動される（図７（ｄ））。
【００２０】
クランパ機構を解除する場合には、図７に示す動作手順と逆の手順で行う。すなわち、ディスク２を搬送機構８で把持した後、ターンテーブル４を下方の待機位置に移動させる。その際に、キャップ４１と磁石７の着磁された底面部との間の吸引力に打ち勝ってターンテーブル４を移動させると、キャップ４１から引き離されたクランパ５は、磁石７の着磁された底面部と支持部材６との吸引力により再び支持部材６に接近した退避位置に戻るようになる。図７（ａ）に示す状態になると、ディスク２は搬送機構８により装置外部に搬出される。
【００２１】
以上のように、クランパ５は、磁石７により支持部材６との吸引力で退避位置に保持されるため、従来のようにクランパ５の上方に別途磁性体を設ける必要がなく、そのためクランパ５を上方に移動させるスペースが確保できることから、クランパ５の移動距離を十分確保できる。そして、クランパ５を上方に移動させてターンテーブル４との間の間隔を十分取ることが可能となり、ディスク２の搬入動作を支障なく行うことができる。さらに、クランパ５が退避位置に引き上げられる際に上方に衝突するものがないため、従来のように上方の設けた磁性体等に衝突して発生する雑音を防止できる。また、別途磁性体を設ける必要がなくクランパ自体も２つの部品で構成できることから部品点数を減らすことができ、製造工程も簡略化することが可能となる。
【００２２】
上述した実施形態では、１枚のディスクを装置内部に搬入するタイプのディスク装置について説明したが、複数のディスクを収納するチェンジャタイプのディスク装置にも本発明のクランプ機構を用いることはできる。また、上述した実施形態のようにディスクを横置きにして取り扱うディスク装置以外にも、ディスクを縦置きにして取り扱うディスク装置にも適用可能である。すなわち、磁石のターンテーブル側が着磁されていれば、クランパを上記実施形態と同様に移動・保持することは可能である。
【００２３】
【発明の効果】
以上に説明したとおり、本発明では、クランパに装着された磁石がターンテーブル側のみ着磁されているので、退避位置にクランパが保持される際にクランパのターンテーブル側が磁石の吸引力で保持されて、従来技術のようにクランパがターンテーブルの反対側に吸引されてシャーシ等に衝突することを避けることができる。そして、ターンテーブルの反対側にクランパを吸引するための磁性体や磁石を設置する必要がなくなり、設計の自由度が大きくなる。設置スペースをクランパの移動スペースとして用い、クランパのストロークを長く取ることで、ディスク搬入時にクランパを邪魔にならないように退避させておくことができる。また、その分薄型化することも可能となる。さらに、磁石等が不要となるため、構造が簡略化でき、部品点数を減らすこともできる。そのため、製造コストを軽減することが可能となる。
【００２４】
また、支持部材の第二磁性体を前記クランパの前記磁石の移動領域を横切る面に沿って設けることで、第二磁性体にターンテーブル側のみ着磁した磁石が吸引するとクランパは移動方向に対して側面で支持部材に保持されるようになり、クランパが支持部材に衝突することなく保持される。そして、支持部材自体を板状の第二磁性体で構成してクランパの開口部を形成すれば、開口部の周縁部でクランパを保持することができ、非常に簡単な構造で確実にクランパを退避位置に保持しておくことができる。
【図面の簡単な説明】
【図１】本発明に係る実施形態を用いるディスク装置の概略斜視図である。
【図２】本発明に係る実施形態の一部拡大断面図である。
【図３】本発明に係る実施形態の一部拡大断面図である。
【図４】本発明に係る実施形態のクランパの分解斜視図である。
【図５】本発明に係る実施形態のクランパの組立工程図である。
【図６】本発明に係る実施形態の磁石に関する説明図である。
【図７】本発明に係る実施形態の動作に関する説明図である。
【符号の説明】
１    ディスク装置
２    ディスク
３    挿入開口部
４    ターンテーブル
５    クランパ
６    支持部材
７    磁石
８    搬送機構
【図１】
2005018951.tif 000003
【図２】
2005018951.tif 000004
【図３】
2005018951.tif 000005
【図４】
2005018951.tif 000006
【図５】
2005018951.tif 000007
【図６】
2005018951.tif 000008
【図７】
2005018951.tif 000009